【事件の表示】
　特許第３０６４００６号「面発光装置」の請求項１ないし６に係る特許に対する特許異議の申立てについて、次のとおり決定する。
【結　論】
　訂正を認める。
　特許第３０６４００６号の請求項１ないし３に係る特許を維持する。
【理　由】
１．手続の経緯
　特許第３０６４００６号の請求項１ないし６に係る発明についての出願は、平成２年１１月２７日に特許出願され、平成１２年５月１２日にその発明についての特許権の設定登録がなされ、その後、その特許について、荒井俊之及び中野収二により特許異議の申立がなされ、取消理由通知がなされ、その指定期間内の平成１３年６月１１日付けで訂正請求がなされたものである。
　
２．訂正の適否について
（１）訂正の内容
　ａ）特許明細書の特許請求の範囲の請求項１〜６に係る記載
「【請求項１】透明導光板の裏面に白色散乱反射板を配置するとともに透明導光板の側面に光源を配置して該光源からの光で上記透明導光板を照射する面発光装置において、上記透明導光板と上記白色散乱反射板との間に、上記光源から遠ざかるにつれてその面積が次第に大きくなるように密度２０〜２９線のパターンにて拡散透過部を設けたことを特徴とする面発光装置。
【請求項２】上記拡散透過部が上記透明導光板と屈折率の近似する光拡散物質で形成されている請求項１記載の面発光装置。
【請求項３】上記拡散透過部がすべて島状に独立したパターンを有する請求項１〜２のいずれかに記載の面発光装置。
【請求項４】上記拡散透過部がすべてチェーン状につながったパターンを有する請求項１〜２のいずれかに記載の面発光装置。
【請求項５】上記拡散透過部がドット状またはストライプ状のパターンを有する請求項１〜２のいずれかに記載の面発光装置。
【請求項６】上記透明導光板の表側に光拡散層を配置した請求項１〜５のいずれかに記載の面発光装置。」を
「【請求項１】アクリル樹脂からなる透明導光板の裏面に白色散乱反射板を配置するとともに透明導光板の側面に光源を配置して該光源からの光で上記透明導光板を照射する面発光装置において、上記透明導光板と上記白色散乱反射板との間に、上記光源から遠ざかるにつれてその面積が次第に大きくなるように密度２０〜２９線のパターンにてアクリル系のバインダーにシリカを分散させてなる拡散透過部を設けたことを特徴とする面発光装置。
【請求項２】上記拡散透過部がすべて島状に独立したパターンを有する請求項１記載の面発光装置。
【請求項３】上記透明導光板の表側に光拡散層を配置した請求項１又は請求項２のいずれかに記載の面発光装置。」
と訂正する。
　ｂ）特許明細書の特許請求の範囲の訂正に伴い、第４図及び第５図を削除し、それらとの整合を図るために特許明細書の記載を訂正明細書のとおりに訂正する。
　
（２）訂正の目的の適否、新規事項の有無及び拡張・変更の存否
　上記訂正事項ａ）は、実質上、特許明細書の請求項２，４，及び５を削除し、請求項１の「透明導光板」及び「拡散透過部」を、「アクリル板からなる透明導光板」及び「アクリル系のバインダーにシリカを分散させてなる拡散透過部」と限定し、新たな請求項１とするものであり、特許請求の範囲の減縮を目的とするものであって、特許明細書の実施例に記載された事項「実施例としては、・・・透明アクリル板を使用した。・・・拡散透過部５はアクリル系のバインダイーにアクリル樹脂（屈折率１．４９）と近似する屈折率の顔料であるシリカ（屈折率１．４１〜１．４９）を分散させて形成するとよい。」（本件特許公報第４欄９〜３４行参照。）の範囲内のものであり、新規事項に該当せず、実質的に特許請求の範囲を拡張し、又は変更するものではない。
　また、訂正事項ｂ）は、上記特許請求の範囲の訂正に伴い、それとの整合を図るために、第４図及び第５図を削除し、発明の詳細な説明の記載を訂正するものであり、明りょうでない記載の釈明に該当し、新規事項に該当せず、実質的に特許請求の範囲を拡張し、又は変更するものではない。
　したがって、上記訂正は、特許法第１２０条の４第２項及び第３項において準用する平成６年法律第１１６号による改正前の特許法第１２６条第１項ただし書き及び第２項の規定に適合するので、当該訂正を認める。
　
３．特許異議申立人の主張の概要
（１）特許異議申立人中野収二は、甲第１号証ないし甲第５号証を提出し、本件の請求項１〜６に係る発明は甲第１号証に記載された発明であるか、又は、甲第１号証ないし甲第５号証に記載された発明に基づいて当業者が容易に発明をすることができたものであるから、本件の請求項１に係る発明の特許は、特許法第２９条第１項第３号又は同条第２項の規定に該当するから、取り消されるべき旨主張している。
（２）特許異議申立人荒井俊之は、概ね下記の主張をしている。
　ア）甲第１号証ないし甲第３号証を提出し、本件の請求項１〜６に係る発明は、甲第１号証ないし甲第３号証の記載に基づいて当業者が容易に発明できたものであるから、本件の請求項１〜６に係る発明の特許は、特許法第２９条第２項の規定違反してなされたものである。
　イ）本件の請求項２〜５の記載には、不明瞭な点や矛盾する点があり、本件特許は、特許法第３６条第４項に規定する要件を満たしていない特許出願に対してなされたものである。
　
４．本件発明
　本件の請求項１〜３に係る発明は、訂正明細書の特許請求の範囲の請求項１〜３に記載された事項により特定されるとおりのものである。
　
５．甲各号証記載の発明
　特許異議申立人中野収二の提出したこの出願前公知の刊行物である、甲第１号証；特開平２−１５７７９１号公報（以下、「引用例１」という。）には、
「１．側面から入射された光を伝播する透明な導光板（１）と、該導光板（１）の表側に当接する拡散板（２）と、該導光板（１）の裏側に当接する反射板（６）と、該導光板（１）の対向する両側面に沿って配設された一対の直管状光源（３ａ，３ｂ）とを有し、白色塗料を塗布している部分と塗布していない部分が混在してなる光拡散層（７）が、単位面積あたりの塗料塗布面積が該光源（３ａ，３ｂ）から離れるに従い大きくなり中央部（１２ａ）で最大になるように、該導光板（１）の裏側の光拡散面（１２）に形成されていることを特徴とする面照明装置。」（特許請求の範囲請求項１）
「導光板１はアクリル等の透明樹脂からなり、」（３頁右上欄１８行）
「光拡散層７の一例は、・・・一定のピッチＰで線状の白色塗料を縞模様７１状に塗布したものであり、他の例は四角のドット７２を一定のピッチＰで塗布したものである。」（３頁左下欄５〜８行）
「なお、この塗料塗布は所望の印刷パターンを有するマスクを用いてスクリーン印刷によって行うが、縞やドットのピッチを１．３ｍｍとした場合には、塗布面積率が２〜８０％の範囲内になるように最小パターン幅を定めると、量産時のマスク寿命が長く良好な拡散面を再現性よく製造できることがわかった。導光板１の裏側に当接する反射板６は、例えば当接面が白く着色されており、光拡散層７の塗料が塗布されていない部分から導光板１の裏側に漏れる光を、再度導光板の内部に拡散反射する。」（３頁右下欄１〜１１行）と記載されている。
　上記によれば、引用例１には、
「側面から入射された光を伝播するアクリル等の透明樹脂からなる導光板と、該導光板の表側に当接する拡散板と、該導光板の裏側に当接する白く着色された反射板と、該導光板の対向する両側面に沿って配設された一対の直管状光源とを有し、白色塗料を塗布しているドットの部分と塗布していない部分が混在してなる光拡散層を、ドットのピッチを１．３ｍｍとし、かつ単位面積あたりの塗料塗布面積が前記光源から離れるに従い大きくなり中央部で最大になるように、該導光板の裏側の光拡散面に形成してなる面照明装置。」の発明が記載されている。
　
　同じく、甲第２号証：特開昭６２−２７８５０５号公報（以下、「引用例２」という。）には、アクリル樹脂からなる出光パネルの出光面に多数の凸曲面形状を有する面光源に関し、
「光拡散層１０は、例えば、出光面を出光パネルの成形時又は成形後に、サンドペーパー研磨、・・・プレス加工等で粗面化したり、シリカ、アルミナ、・・・等の白色顔料や・・・ガラスビーズ等の光拡散性材料を含む透明樹脂層を、浸漬、ロールコート、ブレードコート、スプレコート等の塗布法により形成したり、あるいはこれらの層を接着することにより、出光面３に至った光を乱反射あるいは拡散させ、出光面３からの照度を均一化するとともに視野角を広げることができる。」（６頁左上欄７〜１９行）と記載されている。
　上記によれば、引用例２には、
「アクリル樹脂からなる出光パネルの出光面に多数の凸曲面形状を有する面光源において、該出光面に白色顔料の一種であるシリカを含む透明樹脂層を浸漬、塗布により形成した」発明が記載されている。
　
  同じく、甲第３号証；特開昭５７−１２８３８３号公報（以下、「引用例３」という。）には、エッジライト型バックライトの面照明装置において、アクリル等の透明基板のフラットな背面に白色のペイント層を、点などの印刷部の面積を変化できるパターンで印刷することが記載されている。
　
　同じく、甲第４号証；特開平１−２４５２２０号公報（以下、「引用例４」という。）には、エッジライト型バックライトの液晶表示装置において、透光性板の背面に、白色度の高い顔料様物質例えば、チタンホワイト、酸化亜鉛、酸化カルシウム、酸化バリウム、硫酸バリウム等を展着剤と混合して塗布し、光源部から離れるに従って順次その濃度が密になるように配することが記載されている。
　
　同じく、甲第５号証；特開昭６３−３０９９１８号公報（以下、「引用例５」という。）には、エッジライト型バックライト装置において、アクリル樹脂板の後面の凹凸面に光反射率の良好な特殊インクを用いて、光源からの距離とその照度に反比例する密度の分布により、ドット形体をもってスクリーン印刷された光反射手段を設けることが記載されている。
　
　異議申立人荒井俊之の提出した甲第１号証；特開平２−１２６５０１号公報（以下、「引用例６」という。）には、液晶表示バックライトに関し、
「実施例１
（Ａ）板厚３ｍ/ｍのアクリル樹脂基板表面一面側に、添加剤（白色系顔料とした第１乱反射添加剤と蛍光顔料とした第２乱反射添加剤との比率は６：４）をインキに占める固形分比２３ｗｔ％とした淡濃度白色系インキにガラスビーズ・・・を添加して、４２．５線の密度で面積比を端部光源側で２５％、他端側で６０％とした順次反比例状に高密度化した無段階状変化の乱反射層・・・をスクリーン印刷して備えてなるＡ４サイズの面光源パネルを形成し、」（６頁右下欄１５行〜７頁左上欄７行）、
「比較例１
　（Ａ）添加剤を固形分比３７ｗｔ％含有する白色系インキ（蛍光性物質を含有しない）をそのまま用いて密度を２０線とし、かつ面積比を１０〜３０％とした以外は実施例１の（Ａ）と同様な照明装置を構成した。・・・
　比較例２
（Ａ）固形分比を３３ｗｔ％、密度を２７．５線とした以外は比較例１の（Ａ）と同様な照明装置を構成した。」（８頁左上欄１７行〜右上欄１４行）と記載されている。
　
　同じく、甲第２号証；実願昭６０−６３１４号（実開昭６１−１２３４０６号）のマイクロフィルム（以下、「引用例７」という。）には、被照明物体の前方に配置し、それ自体を通して表示体を見るための前方照明装置において、アクリル等の透明材料の導光体の被照明物体と反対側の一面の一部に拡散反射部を、白色顔料入りの接着剤をドット状に印刷形成すること、また、白色以外の有色顔料を用いて光源の色を補正したり、着色してもよい、ことが記載されている。
　
　同じく、甲第３号証；特開昭５７−１２８３８３号公報（以下、「引用例８」という。）は、上記引用例３と同じ。
　
６．当審の判断
６−１．特許法第２９条違反について
［請求項１について］
　本件の請求項１に係る発明（以下、「本件発明１」という。）と上記引用例１記載の発明（以下、「引用発明１」という。）とを比較するに、
引用発明の、「白く着色された反射板」、「光拡散層」、「面照明装置」は、本件発明１の「白色散乱反射板」、「拡散透過部」、「面発光装置」に相当し、両者は、「アクリル樹脂からなる透明導光板の裏面に白色散乱反射板を配置するとともに透明導光板の側面に光源を配置して該光源からの光で上記透明導光板を照射する面発光装置において、上記透明導光板と上記白色散乱反射板との間に、上記光源から遠ざかるにつれてその面積が次第に大きくなるように所定のパターンにて拡散透過部を設けた面発光装置。」で一致し、下記の点で相違する。
　相違点１；本件発明１は、拡散透過部のパターンを密度２０〜２９線としたのに対し、引用発明１は、光拡散層のドットのピッチを１．３ｍｍとしたものである点、
　相違点２；本件発明１は、拡散透過部をアクリル系のバインダーにシリカを分散させて形成するのに対し、引用発明１は、白色塗料を塗布して形成する点。
　
　上記相違点につき検討する。
　相違点１について、
　引用発明１の「光拡散層のドットのピッチを１．３ｍｍとし」を１インチ当りの本数にすると、密度１９．５３（約、２５．４ｍｍ÷１．３ｍｍ＝１９．５３本）となり、本件発明１の２０本との間に格別の相違があるとは認められない。なお、本件発明１のように密度を２０〜２９線の範囲とすることは、本件明細書で従来例とされている上記引用例６において、その比較例１及び２として、２０線、２７線のものが記載されているように、従来周知であるから、引用発明１の線密度を本件発明１のような数値に特定することに格別困難性は認められない。
　相違点２について、
　本件発明は、「拡散透過部が透明導光板と屈折率の異なる光拡散物質で形成されている場合には、光の散乱反射する効率が悪くて光源近傍が明るくなり過ぎていた。」（本件特許公報第３欄１４〜１６行参照）という従来の問題点を解決することを課題の一つとしており、拡散透過部を透明導光板の屈折率と近似させること、具体的には、アクリル樹脂からなる透明導光板の裏面にアクリル系のバインダーにシリカを分散させた拡散透過部のパターンを形成することにより解決したものである。
　しかるに、拡散透過部の屈折率を考慮して、アクリル系のバインダーにシリカを分散させて形成することについては、上記引用例２〜８のいずれにも記載がない。
　そして、本件発明１は、アクリル樹脂からなる透明導光板の裏面にアクリル系のバインダーにシリカを分散させた拡散透過部のパターンを形成することにより、光の散乱反射が効率よく行われてムラのない均一な面光源が得られるという明細書記載の効果を奏するものである。
　したがって、引用例１〜８をどのように組み合わせても本件発明１に想到することは困難である。よって、本件発明１は、引用例１に記載された発明であるとも、引用例１ないし５に記載された発明、或いは、引用例６ないし８に記載された発明に基づいて当業者が容易に発明をすることができたものともすることができない。
　
［請求項２について］
　請求項２に係る発明（以下、「本件発明２」という。）は、本件発明１を引用し、その拡散透過部が「すべて島状に独立したパターンを有する」ことをさらに限定しているのであるから、本件発明１と同様の理由により、上記引用例に記載された発明であるとも、上記引用例に記載された発明に基づいて当業者が容易に発明をすることができたものであるともすることができない。
　
［請求項３について］
　請求項３に係る発明（以下、「本件発明３」という。）は、本件発明１又は２を引用し、さらに透明導光板の表側に光拡散層を配置したものであるから、本件発明１と同様の理由により上記引用例に記載された発明であるとも、上記引用例に記載された発明に基づいて当業者が容易に発明をすることができたものであるともすることができない。
　
６−２．特許法第３６条違反について
　異議申立人荒井俊之は、
（１）訂正前の請求項２には、「上記拡散透過部が上記透明導光板と屈折率の近似する光拡散物質で形成されている」との記載があるが、本件明細書の発明の詳細な説明には、透明導光板として透明アクリル板を用い、拡散透過部５はアクリル系のバインダーにアクリル樹脂と近似する屈折率の顔料であるシリカを分散させて形成する例しか記載されていないから、「屈折率の近似する」という内容が不明瞭である旨主張している。
　しかし、訂正請求により、請求項２は実質上削除され、請求項１に
「アクリル樹脂からなる透明導光板の裏面にアクリル系のバインダーにシリカを分散させた拡散透過部のパターンを形成する」ことが限定されたので、上記記載不備は解消された。
　また、（２）訂正前の請求項３の「島状」は、「円形のドット状」との相互の差異が不明瞭であり、また、訂正前の請求項４，５の「チェーン状につながったパターン」、「ドット状またはストライプ状のパターン」は、本件発明の「密度２０〜２９線のパターンにて」設けるという構成と矛盾する旨主張している。
　しかし、請求項３の「島状」は、「島状に独立したパターン」の意味で用いられており、請求項４の「チェーン状につながったパターン」などと対向する意味であることは明らかである。そして、訂正請求により、請求項４，５及び４図、５図の「つながったパターン」は削除されたので、申立人の主張する記載不備は解消された。
　
７．むすび
　以上のとおり、特許異議申立の理由及び証拠によっては、本件請求項１ないし３に係る発明の特許を取り消すことはできない。
　又、他に本件請求項１ないし３に係る発明の特許を取り消すべき理由を発見しない。 
　よって、結論のとおり決定する。
【異議決定日】
平成１３年６月２５日（２００１．６．２５）
【訂正の要旨】
訂正の要旨
訂正事項ａ
　特許請求の範囲の請求項１〜６に係る記載
「　【請求項１】　透明導光板の裏面に白色散乱反射板を配置するとともに透明導光板の側面に光源を配置して該光源からの光で上記透明導光板を照射する面発光装置において、上記透明導光板と上記白色散乱反射板との間に、上記光源から遠ざかるにつれてその面積が次第に大きくなるように密度２０〜２９線のパターンにて拡散透過部を設けたことを特徴とする面発光装置。
　【請求項２】　上記拡散透過部が上記透明導光板と屈折率の近似する光拡散物質で形成されている請求項１記載の面発光装置。
　【請求項３】　上記拡散透過部がすべて島状に独立したパターンを有する請求項１〜２のいずれかに記載の面発光装置。
　【請求項４】　上記拡散透過部がすべてチェーン状につながったパターンを有する請求項１〜２のいずれかに記載の面発光装置。
　【請求項５】　上記拡散透過部がドット状またはストライプ状のパターンを有する請求項１〜２のいずれかに記載の面発光装置。
　【請求項６】　上記透明導光板の表側に光拡散層を配置した請求項１〜５のいずれかに記載の面発光装置。」
を、
「　【請求項１】　
アクリル樹脂からなる
アクリル系のバインダーにシリカを分散させてなる
　
【請求項２】
請求項１記載
　
【請求項３】
又は請求項２
と訂正する。
　また、特許請求の範囲の記載を訂正したことに伴い、明細書及び図面（第４図及び第５図削除）の記載を一部訂正する。
（５４）【発明の名称】
面発光装置
（５７）【特許請求の範囲】
　【請求項１】　
アクリル樹脂からなる
アクリル系のバインダーにシリカを分散させてなる
　
【請求項２】
請求項１記載
　
【請求項３】
又は請求項２
【発明の詳細な説明】
　【産業上の利用分野】
　本発明は、ディスプレイとして薄形の電飾照明、および薄形軽量のラップトップパソコン、ワープロ、液晶ＴＶのバックライトなどに利用できる面発光装置に関し、より詳しくは、いわゆるエッジライト型の面発光装置に関する。
　【従来の技術】
　従来、この種の面発光装置としては種々の構造のものが知られている。
　たとえば、導光板に無断階状に面積比を変化する乱反射部が形成された面光源装置がある（特開平２−１２６５０１）。
　また、透光性板の表面に液晶パネルを配置し、透光性板の背面に光散乱物質を直接塗布するなどして施した後、鏡面反射板を設置するとした面発光装置がある（特開平１−２４５２２０）。
　【発明が解決しようとする課題】
　しかし、上記の構造ではパターン密度が高いため、印刷時にインキかすれなどの不良が発生しやすく、量産時における品質のバラツキも多かった。
　また、拡散透過部が透明導光板と屈折率の異なる光拡散物質で形成されている場合には、光の散乱反射する効率が悪くて光源近傍が明るくなり過ぎていた。
　また、第２図に示すようなパターンの場合には、連続部分と非連続部分との境にデンシティジャンプといわれるスジが発生し、輝度ムラが起こり輝度も低かった。
　したがって、この発明は上記のような問題点を解決し、高輝度で、輝度ムラがなく、品質のバラツキのない面発光装置を提供することを目的とする。
　【課題を解決するための手段】
　上記の目的を達成するために、この発明は、
アクリル樹脂からなる
アクリル系のバインダーにシリカを分散させてなる
　また、上記構成においては、
拡散透過部をすべて島状に独立したパターンとすることもできる。
　さらに、上記構成においては、透明導光板の表側に光拡散層を配置することもできる。
　【実施例】
　以下、図面を参照しながらこの発明の実施例をさらに詳しく説明する。
　第１図はこの発明の面発光装置の一実施例を示す断面図である。
第３図
　この面発光装置は、第１図および
第３図
　透明導光板２としては、
アクリル樹脂板を用い
　光源１としては、蛍光灯や冷陰極管などの線光源を配置するか、ランプまたはＬＥＤなどの点光源を並べて構成する。実施例としては、管長２７０ｍｍ、直径６ｍｍの冷陰極管を光源１として使用した。また、光源１を覆うように湾曲した反射湾曲板６を配置して、その内面の鏡面により光源１からの光を透明導光板２側に反射して光を有効に使えるようにするのが好ましい。
　一方、透明導光板２の裏面には、光源１から遠ざかるにつれてその面積が次第に大きくなるようなグラデーションの拡散透過部５を
アクリル系のバインダーにアクリル樹脂（屈折率１．４９）と近似する屈折率の顔料であるシリカ（屈折率１．４１〜１．４９）を分散させて
ドット状の
とよい
もよい。
　透明導光板２の表面全面には、必要に応じて、光拡散物質がコーティングされた光拡散層３を透明導光板２上に配置する。この光拡散層３の具体例としては、株式会社きもと製の光拡散フィルムＤ２０４がある。また、光拡散層３としては、上記のような構成のもののほかに、フィルム自体が光拡散性を有するものや、乳白色の樹脂板など同様な効果を奏するものを使用してもよい。
　さらに、白色散乱反射板４は、白色に塗装した板材を透明導光板２の裏面に配置することにより形成することができる。また、白色散乱反射板４は、ケースとは別の板材などに形成した後、これを透明導光板２の裏面に配置するようしてもよい。白色散乱反射板４は、透明導光板２の拡散透過部５が形成されていない部分には密着しないようにし、その部分と白色散乱反射板４との間には少なくともわずかな隙間が形成されるようにする。通常は、透明導光板２としてのたとえばアクリル板の表面に白色板を重ねるだけでよい。なお、白色散乱反射板４としては白色板を使用する替わりに、透明導光板２および光源１を収納するケースの透明導光板２および光源１に相対する面を散乱反射効率の良い白色塗料にて塗装または印刷するようにしてもよい。また、白色シートと金属箔とを貼り合わせたものを白色散乱反射板４としてもよい。
　【発明の効果】
　本発明により、密度２０〜２９線のパターンにて拡散透過部を設けるため、版の目づまり、インキかすれなどの不良が発生しにくく、量産時の品質安定化が計れる。
　また、
透明導光板をアクリル板とし、
アクリル系のバインダーにシリカを分散させて
　さらに、拡散透過部をすべて島状に独立させて形成
すること
【図面の簡単な説明】
第１図はこの発明の面発光装置の一実施例を示す断面図である。第２図は従来例を示す平面図である。
第３図
１……光源、２……透明導光板、３……光拡散層、４……白色散乱反射板、５……拡散透過部、６……湾曲反射板。
【図面】